(57)【要約】  ブロードキャストデータを繰り返し送信する際の、配信元の処理負荷や、配信元と無線基地局間のトラヒックを軽減する。無線通信システムは、ブロードキャストデータ又はマルチキャストデータを配信する配信装置と、無線基地局と含む。無線基地局１１は、配信装置から受信したブロードキャストデータ又はマルチキャストデータを保存する保存手段と、前記移動局に対し、前記保存したブロードキャストデータ又はマルチキャストデータを所定の配信タイミングで繰り返し配信する配信手段と、を備える。（図１）
2009091042.tif 000002
【特許請求の範囲】
【請求項１】
ブロードキャストデータ又はマルチキャストデータを配信する配信装置と、
前記配信装置から受信したブロードキャストデータ又はマルチキャストデータを保存する保存手段と、移動局に対し、前記保存したブロードキャストデータ又はマルチキャストデータを所定の配信タイミングで繰り返し配信する配信手段と、を備える無線基地局と、
を含む無線通信システム。
【請求項２】
前記配信タイミングは、配信時刻又は配信周期によって指定される請求項１に記載の無線通信システム。
【請求項３】
前記配信装置から指定されたブロードキャストデータ又はマルチキャストデータの保存期限に基づいて、保存した前記ブロードキャストデータ又はマルチキャストデータを破棄する請求項１又は２に記載の無線通信システム。
【請求項４】
前記配信手段は、前記配信装置からセッション開始要求を受信してから、セッション停止要求を受信するまでの間、前記移動局に対し、保存した前記ブロードキャストデータ又はマルチキャストデータを所定の配信タイミングで繰り返し配信する請求項１乃至３いずれか一に記載の無線通信システム。
【請求項５】
前記配信タイミング、又は、ブロードキャストデータもしくはマルチキャストデータの保存期限は、前記配信装置から受信するセッション開始要求メッセージに含まれている請求項３又は４に記載の無線通信システム。
【請求項６】
前記配信装置は、前記無線基地局又は基地局制御装置に接続されるコアネットワークに含まれる請求項１乃至５いずれか一に記載の無線通信システム。
【請求項７】
前記配信装置に代えて、ユーザ端末が前記無線基地局に対しブロードキャストデータ又はマルチキャストデータを送信し、前記無線基地局の配信手段に、前記ブロードキャストデータ又はマルチキャストデータを繰り返し配信させることが可能である請求項１乃至６いずれか一に記載の無線通信システム。
【請求項８】
前記無線基地局に代えて、基地局制御装置に、
前記配信装置から受信したブロードキャストデータ又はマルチキャストデータを保存する保存手段と、
前記移動局に対し、保存した前記ブロードキャストデータ又はマルチキャストデータを所定の配信タイミングで繰り返し配信する配信手段と、が備えられている請求項１乃至７いずれか一に記載の無線通信システム。
【請求項９】
無線通信システムにおける無線基地局又は基地局制御装置のいずれかが、配信元からブロードキャストデータ又はマルチキャストデータを受信し、保存するステップと、
前記ブロードキャストデータ又はマルチキャストデータを保存した無線基地局又は基地局制御装置が、移動局に対し、前記ブロードキャストデータ又はマルチキャストデータを所定の配信タイミングで繰り返し配信するステップと、を含む無線通信システムにおけるブロードキャストデータ又はマルチキャストデータの配信方法。
【請求項１０】
前記配信タイミングは、配信時刻又は配信周期によって指定される請求項９に記載のブロードキャストデータ又はマルチキャストデータの配信方法。
【請求項１１】
前記無線基地局又は基地局制御装置は、前記配信元から指定されたブロードキャストデータ又はマルチキャストデータの保存期限に基づいて、保存した前記ブロードキャストデータ又はマルチキャストデータを破棄する請求項９又は１０に記載のブロードキャストデータ又はマルチキャストデータの配信方法。
【請求項１２】
前記無線基地局又は基地局制御装置は、前記配信元からセッション開始要求を受信してから、セッション停止要求を受信するまでの間、前記移動局に対し、前記保存したブロードキャストデータ又はマルチキャストデータを所定の配信タイミングで繰り返し配信する請求項９乃至１１いずれか一に記載のブロードキャストデータ又はマルチキャストデータの配信方法。
【請求項１３】
前記配信タイミング、又は、ブロードキャストデータもしくはマルチキャストデータの保存期限は、前記配信元から受信するセッション開始要求メッセージに含まれている請求項９乃至１２いずれか一に記載のブロードキャストデータ又はマルチキャストデータの配信方法。
【請求項１４】
配信元から受信したブロードキャストデータ又はマルチキャストデータを保存する保存手段と、
移動局に対し、前記保存したブロードキャストデータ又はマルチキャストデータを所定の配信タイミングで繰り返し配信する配信手段と、を備えること、
を特徴とする無線基地局。
【請求項１５】
前記配信タイミングは、配信時刻又は配信周期によって指定される請求項１４に記載の無線基地局。
【請求項１６】
前記配信元から指定されたブロードキャストデータ又はマルチキャストデータの保存期限に基づいて、保存した前記ブロードキャストデータ又はマルチキャストデータを破棄する請求項１４又は１５に記載の無線基地局。
【請求項１７】
前記配信手段は、前記配信装置からセッション開始要求を受信してから、セッション停止要求を受信するまでの間、前記移動局に対し、保存した前記ブロードキャストデータ又はマルチキャストデータを所定の配信タイミングで繰り返し配信する請求項１４乃至１６いずれか一に記載の無線基地局。
【請求項１８】
前記配信タイミング、又は、ブロードキャストデータもしくはマルチキャストデータの保存期限は、前記配信元から受信するセッション開始要求メッセージに含まれている請求項１４乃至１７いずれか一に記載の無線基地局。
【請求項１９】
配信元から受信したブロードキャストデータ又はマルチキャストデータを保存する保存手段と、
無線基地局に対し、前記保存したブロードキャストデータ又はマルチキャストデータを所定の配信タイミングで繰り返し配信する配信手段と、を備えること、
を特徴とする基地局制御装置。
【請求項２０】
配信元からブロードキャストデータ又はマルチキャストデータを受信し、保存する処理と、
下位のノードに対し、前記保存したブロードキャストデータ又はマルチキャストデータを所定の配信タイミングで繰り返し配信する処理と、無線基地局又は基地局制御装置を構成するコンピュータに実行させるプログラム。
【発明の詳細な説明】
【技術分野】
【０００１】
［関連出願の記載］
本発明は、日本国特許出願：特願２００８−００７０３６号（２００８年  １月１６日出願）の優先権主張に基づくものであり、同出願の全記載内容は引用をもって本書に組み込み記載されているものとする。
本発明は、無線通信システム、データの配信方法、基地局、基地局制御装置及びプログラムに関し、特に、ブロードキャストデータ又はマルチキャストデータを配信するための無線通信システム、データの配信方法、基地局、基地局制御装置及びプログラムに関する。
【背景技術】
【０００２】
Ｗ−ＣＤＭＡシステムにおけるブロードキャスト（Ｂｒｏａｄｃａｓｔ）機能、マルチキャスト（Ｍｕｌｔｉｃａｓｔ）機能として、３ＧＰＰ（３ｒｄ  Ｇｅｎｅｒａｔｉｏｎ  Ｐａｒｔｎｅｒｓｈｉｐ  Ｐｒｏｊｅｃｔ）では、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）が仕様化されている。【０００３】
特許文献１に、他のノードから送られてきたブロードキャストデータを再送用に一時的に格納するバッファを備えた移動通信システムが開示されている。同公報記載の無線基地局は、移動局からのデータフレームの再送要求信号を受信した場合に、当該バッファに格納したデータフレームを、符号化し、所定の式により計算した送信電力で送信する。【０００４】
特許文献２には、配信先のセルと、配信時間を指定する配信端末と、前記配信端末の指定に従って、加入者局装置に対する情報配信手順を開始する配信管理サーバとを、備える情報配信システムが開示されている。【０００５】
【特許文献１】特開２００６−１３５４００号公報
【特許文献２】特開２００７−１２８１５１号公報
【非特許文献１】３ＧＰＰ  ＴＳ  ２３．２４６  Ｖ８．１．０（Ｍｕｌｔｉｍｅｄｉａ  Ｂｒｏａｄｃａｓｔ／Ｍｕｌｔｉｃａｓｔ  Ｓｅｒｖｉｃｅ（ＭＢＭＳ）；Ａｒｃｈｉｔｅｃｔｕｒｅ  ａｎｄ  ｆｕｎｃｔｉｏｎａｌ  ｄｅｓｃｒｉｐｔｉｏｎ（Ｒｅｌｅａｓｅ８））
【発明の開示】
【発明が解決しようとする課題】
【０００６】
以上の特許文献１、２及び非特許文献１の全開示内容は、本書に引用をもって繰り込み記載されているものとする。
以下の分析は、本発明の観点から与えられる。
特許文献１等に開示された無線通信システムにおいてブロードキャストデータは、以下のようにして送信される。図６のシーケンス図において、配信元である放送局２４０からブロードキャストデータを送信する場合、放送局２４０が基地局制御装置（無線制御局）２２０との間のセッションを確立する（ｓ３００、ｓ３０１）。次に、基地局制御装置（無線制御局）２２０が、無線基地局２１０との間のセッションを確立する（ｓ３０２、ｓ３０４）。そして、無線基地局２１０による移動局２００へ放送開始の通知（ｓ３０５）の実施後、放送局２４０が移動局２００に対しブロードキャストデータを送信している（非特許文献１の８．３  ＭＢＭＳ  Ｓｅｓｓｉｏｎ  Ｓｔａｒｔ  Ｐｒｏｃｅｄｕｒｅ参照）。【０００７】
送信終了後は、まず、放送局２４０が、基地局制御装置（無線制御局）２２０との間のセッションを停止する（ｓ３０７、ｓ３０８）。次に、基地局制御装置（無線制御局）２２０が、無線基地局２１０との間のセッションを停止する（ｓ３０９、ｓ３１０）。そして、無線基地局２１０が移動局２００に対し放送終了の通知（ｓ３１１）を実施する（非特許文献１の８．５  ＭＢＭＳ  Ｓｅｓｓｉｏｎ  Ｓｔｏｐ  Ｐｒｏｃｅｄｕｒｅ参照）。【０００８】
しかしながら、上記した非特許文献１のデータ配信方法で、同じブロードキャストデータを繰り返し送信するような場合、上述したｓ３００からｓ３１１までの動作を繰り返し実施する必要があるため、放送局２４０の処理負荷や、放送局２４０と無線基地局２１０間のトラヒックを無駄に増大させるという問題点がある。【０００９】
この点、特許文献１の無線基地局は、再送時のブロードキャストデータの転送効率を向上させるものであり、上記放送局２４０等の配信元から同一のブロードキャストデータが送られてきた場合の処理の効率化については触れられていない。【００１０】
また、特許文献２も、無線基地局と加入者局の間のゲートウェイに配信管理サーバを置くものであり、放送局から無線基地局間のブロードキャストデータの繰り返し送信時の無駄を軽減することは不可能である。また、同文献記載の配信サービスは、無線リソースを効率的に使用するために放送局２４０と無線基地局２１０間で行われているセッション開始・終了処理とは無関係に行われている。【００１１】
本発明は、上記した事情に鑑みてなされたものであって、その目的とするところは、配信元から送信されたブロードキャストデータ又はマルチキャストデータの繰り返し送信を効率化する無線通信システム、データの配信方法、基地局、基地局制御装置及びプログラムを提供することにある。
【課題を解決するための手段】
【００１２】
本発明の第１の視点によれば、ブロードキャストデータ又はマルチキャストデータを配信する配信装置と、無線基地局とを含む無線通信システムが提供される。前記無線基地局は、前記配信装置から受信したブロードキャストデータ又はマルチキャストデータを保存する保存手段と、移動局に対し、前記保存したブロードキャストデータ又はマルチキャストデータを所定の配信タイミングで繰り返し配信する配信手段と、を備える。【００１３】
本発明の第２の視点によれば、無線通信システムにおける無線基地局又は基地局制御装置のいずれかが、配信元からブロードキャストデータ又はマルチキャストデータを受信し、保存するステップと、前記ブロードキャストデータ又はマルチキャストデータを保存した無線基地局又は基地局制御装置が、前記移動局に対し、前記ブロードキャストデータ又はマルチキャストデータを所定の配信タイミングで繰り返し配信するステップと、を含む無線通信システムにおけるブロードキャストデータ又はマルチキャストデータの配信方法が提供される。【００１４】
本発明の第３の視点によれば、配信元から受信したブロードキャストデータ又はマルチキャストデータを保存する保存手段と、下位のノードに対し、前記保存したブロードキャストデータ又はマルチキャストデータを所定の配信タイミングで繰り返し配信する配信手段と、を備える無線基地局又は基地局制御装置が提供される。【００１５】
本発明の第４の視点によれば、配信元からブロードキャストデータ又はマルチキャストデータを受信し、保存する処理と、下位のノードに対し、前記保存したブロードキャストデータ又はマルチキャストデータを所定の配信タイミングで繰り返し配信する処理と、無線基地局又は基地局制御装置を構成するコンピュータに実行させるプログラムが提供される。
【発明の効果】
【００１６】
本発明によれば、ブロードキャストデータ又はマルチキャストデータを所定の配信タイミングで繰り返し送信する際の、配信元（配信装置）の処理負荷や、配信元（配信装置）と無線基地局間（あるいは、配信元（配信装置）と基地局制御装置間）のトラヒックを軽減することが可能となる。その理由は、無線基地局又は基地局制御装置の少なくとも一方に繰り返し送信するブロードキャストデータ又はマルチキャストデータを保存し、繰り返し配信する構成を採用したことにある。
【図面の簡単な説明】
【００１７】
【図１】本発明に係る無線通信システムを模式的に表した図である。
【図２】本発明の第１の実施形態の無線通信システムの構成を表したブロック図である。
【図３】本発明の第１の実施形態の移動局、無線基地局及び放送局の動作を示したシーケンス図である。
【図４】本発明の第２の実施形態の無線通信システムの構成を表したブロック図である。
【図５】本発明の第２の実施形態の移動局、無線基地局、基地局制御装置及び放送局の動作を示したシーケンス図である。
【図６】特許文献１等の無線通信システムにおけるブロードキャスト通信を説明するためのシーケンスである。
【符号の説明】
【００１８】
１０、１００、２００  移動局
１１、１１０、２１０  無線基地局
１２、１１２、２２２  制御部
１４、１１４、２２４  蓄積部
２０  配信装置
１１１  ＩＦ部（インタフェース部）
１１３、２１１  無線部
１２０、２３０  スイッチ
１３０、２４０  放送局
１４０、２５０  コアネットワーク
１５０  ユーザ端末
２２０  基地局制御装置（無線制御局）
２２１  第１のＩＦ部（インタフェース部）
２２３  第２のＩＦ部（インタフェース部）
【発明を実施するための最良の形態】
【００１９】
続いて、本発明を実施するための最良の形態について図面を参照して詳細に説明する。【００２０】
［発明の概要］
始めに図１を参照して本発明の概要を説明する。図１は、本発明に係る無線通信システムを模式的に表した図である。図１を参照すると、放送局（Ｂｒｏａｄｃａｓｔ  Ｍｕｌｔｉｃａｓｔ  Ｓｅｒｖｉｃｅ  Ｃｅｎｔｅｒ）等の配信装置２０と接続され、配信装置２０から受信したブロードキャストデータ又はマルチキャストデータを移動局１０に送信する無線基地局１１が示されている。【００２１】
無線基地局１１は、配信装置２０から受信したブロードキャストデータ又はマルチキャストデータを保存する保存手段として機能する蓄積部１４と、移動局１０に対し、前記保存したブロードキャストデータ又はマルチキャストデータを所定の配信タイミングで繰り返し配信する配信手段として機能する制御部１２と、を備えて構成されている。【００２２】
制御部１２は、配信装置２０から受信したブロードキャストデータ又はマルチキャストデータを、配信装置２０から予め受信した配信タイミング情報に従って、繰り返し配信する。【００２３】
上記した無線基地局１１を備える無線通信システムでは、配信装置２０から送信したブロードキャストデータ又はマルチキャストデータは、蓄積部１４に保存され、必要に応じて繰り返し配信できる。即ち、繰り返し同一のブロードキャストデータ又はマルチキャストデータを配信する場合、配信装置２０からの再送は不要となるため、配信装置２０の負荷低減、配信装置２０と無線基地局１１間のトラヒック軽減が可能となる。【００２４】
なお、上記した制御部１２及び蓄積部１４を無線基地局１１に備えるのではなく、基地局制御装置に備えた変形構成も採用することが可能である。この場合は、当該基地局制御装置の管理下にある無線基地局を介した形態の、移動局に対する同一のブロードキャストデータ又はマルチキャストデータの繰り返し配信が可能となる。【００２５】
［第１の実施形態］
図２は、本発明の第１の実施形態の無線通信システムの構成を表したブロック図である。図２を参照すると、コアネットワーク１４０上に配置されたデータ配信装置（配信元）である放送局１３０と、スイッチ１２０を介して放送局１３０からブロードキャストデータ又はマルチキャストデータ（以下では単にブロードキャストデータと呼ぶ。）を受信する無線基地局１１０と、無線基地局１１０からブロードキャストデータ等を受信する移動局１００と、が示されている。なお、図２のユーザ端末１５０は、放送局１３０と同様にブロードキャストデータをする配信装置（配信元）として機能する、一般ユーザが使用するパーソナルコンピュータ等である。【００２６】
無線基地局１１０は、ＩＦ部（インタフェース部）１１１と、制御部１１２と、無線部１１３と、蓄積部１１４とを含んで構成される。以下、これらの無線基地局１１０の各部について説明する。【００２７】
ＩＦ部１１１は、放送局１３０を含むコアネットワーク１４０と通信するためのインタフェース機能を提供する。具体的には、ＩＦ部１１１は、放送局１３０から、後記するセッション開始（停止）要求メッセージやブロードキャストデータを受信し、応答メッセージを返す処理を行う。【００２８】
制御部１１２は、放送局１３０から受信したメッセージからブロードキャストデータを送信する時間や周期を指定する配信タイミング情報を抽出する機能と、配信タイミング情報に基づいて蓄積部１１４に対してブロードキャストデータの保存、送信、削除を指示する機能とを備える。【００２９】
配信タイミング情報としては、例えば「１月１日の０時から１時間毎」といった配信周期によって指定する形態が考えられる。また、「毎週日曜日の１２：００」といった配信時刻によって、配信タイミングを指定する形態も採用可能である。【００３０】
無線部１１３は、無線チャネルを介して、放送局１３０から送信されたブロードキャストデータを移動局１００に対して送信する。【００３１】
蓄積部１１４は、制御部１１２からの指示に従って、放送局１３０から送信されるブロードキャストデータを保存する機能と、保存したブロードキャストデータを移動局１００に対して送信する機能と、ブロードキャストデータを削除する機能とを備える。【００３２】
なお、上記制御部１１２の機能は、無線基地局１１０を構成するコンピュータに実行させるプログラムにより実現することができる。【００３３】
放送局１３０は、無線基地局１１０に対してブロードキャストデータの送信を開始することを通知するとともに送信する時間や周期の情報を送信する機能と、ブロードキャストデータの送信停止や削除を要求する機能を備える。【００３４】
その他図２の移動局１００やスイッチ１２０やコアネットワーク１４０としては、当業者にとってよく知られた構成を採用することができる。【００３５】
続いて、移動局１００、無線基地局１１０及び放送局１３０の動作を、図３に示すシーケンスフローを参照して説明する。【００３６】
図３を参照するとまず、放送局１３０が無線基地局１１０へセッション開始要求を送信する（ステップｓ１００）。セッション開始要求を受けた無線基地局１１０はセッション開始応答を送信する（ステップｓ１０１）。セッション開始応答を受信した放送局１３０は、ブロードキャストデータの送信を開始する（ステップｓ１０２）。【００３７】
上記ステップｓ１００のセッション開始要求のメッセージには、当該ブロードキャストデータの配信タイミング情報が含まれているものとする。【００３８】
無線基地局１１０の制御部１１２は、上記ステップｓ１００のセッション開始要求に含まれる配信タイミング情報を保持するとともに、受信したブロードキャストデータを蓄積部１１４に、前記配信タイミング情報と対応付けて保存する（ステップｓ１０３）。【００３９】
無線基地局１１０の制御部１１２は、前記保持している配信タイミング情報に従って、移動局１００に対して放送開始を通知し（ステップｓ１０４）、続けてブロードキャストデータの送信を行う（ステップｓ１０５）。【００４０】
ブロードキャストデータの送信が完了すると、無線基地局１１０の制御部１１２は、放送終了を通知する（ステップｓ１０６）。【００４１】
その後も、無線基地局１１０は、保持している配信タイミング情報に従って、放送開始要求と（ステップｓ１０７）、ブロードキャストデータの再送と（ステップｓ１０８）、放送終了通知と（ステップｓ１０９）、を繰り返し実施する。【００４２】
そして、放送局１３０が無線基地局１１０に対しセッション停止要求を送信する（ステップｓ１１０）。セッション停止要求を受信した無線基地局１１０は、セッション停止応答を送信し、上記のようなブロードキャストデータの繰り返し配信を終了する（ステップｓ１１１）。その後、無線基地局１１０は、保持していた配信タイミング情報やブロードキャストデータを削除する（ステップｓ１１２）。【００４３】
以上のように、本実施形態によれば、ブロードキャストデータを繰り返し配信する場合であっても、２回目以降のブロードキャストデータの配信は、放送局１３０からブロードキャストデータを送信することなく行われることになるため、放送局１３０の負荷低減、放送局１３０と無線基地局１１０間のトラヒック軽減が可能となる。【００４４】
なお、上記した実施形態では放送局１３０からセッション停止要求を受信した後に無線基地局１１０が、ブロードキャストデータを削除するものとして説明したが、ステップｓ１００のセッション開始要求時に送信するメッセージ内に、ブロードキャストデータの配信タイミング情報に加えて、ブロードキャストデータの有効期限を含めることも可能である。この場合、無線基地局１１０は、有効期限が切れたブロードキャストデータを蓄積部１１４から削除する動作を行う。これにより、無線基地局１１０の蓄積部１１４の容量を効率よく利用することが可能となる。【００４５】
特に、上記実施形態では、放送局１３０からセッション停止要求を受信するまでの間、移動局に対するブロードキャストデータ又はマルチキャストデータの繰り返し配信が行われるため、放送局１３０に余分な負荷を掛けることもない。【００４６】
また、上記した実施形態では、放送局１３０からのセッション開始要求メッセージに、上記した配信タイミング情報を含める構成としているため、無線基地局１１０に機能追加する形態での実装が可能となる。【００４７】
また、上記した実施形態では、ブロードキャストデータの配信元が放送局１３０であるものとして説明したが、ユーザ端末１５０から無線基地局１１０に、ブロードキャストデータと、その配信タイミング情報とを送信させることによって、一般ユーザから発信されたデータも同様の取り扱いをすることが可能である。【００４８】
続いて、上記したブロードキャストデータの一時保存先（図２の蓄積部１１４）を基地局制御装置側に配置した本発明の第２の実施形態について説明する。【００４９】
［第２の実施形態］
図４を参照すると、コアネットワーク２５０上に配置された放送局２４０と、スイッチ２３０を介して放送局２４０からブロードキャストデータ等を受信する基地局制御装置（無線制御局）２２０と、無線基地局２１０と、無線基地局２１０からブロードキャストデータ等を受信する移動局２００と、が示されている。【００５０】
基地局制御装置２２０は、第１のＩＦ部（インタフェース部）２２１と、制御部２２２と、第２のＩＦ部（インタフェース部）２２３と、蓄積部２２４とを含んで構成される。以下、これらの基地局制御装置２２０の各部について説明する。【００５１】
ＩＦ部２２１は、放送局２４０を含むコアネットワーク２５０と通信するためのインタフェース機能を提供する。具体的には、ＩＦ部２２１は、放送局２４０から、後記するセッション開始（停止）要求メッセージやブロードキャストデータを受信し、応答メッセージを返す処理を行う。【００５２】
制御部２２２は、放送局２４０から受信したメッセージからブロードキャストデータを送信する時間や周期を指定する配信タイミング情報を抽出する機能と、配信タイミング情報に基づいて蓄積部２２４に対してブロードキャストデータの保存、送信、削除を指示する機能とを備える。【００５３】
ＩＦ部２２３は、無線基地局２１０と通信するためのインタフェース機能を提供する。具体的には、ＩＦ部２２３は、無線基地局２１０に対し、後記するセッション開始（停止）要求メッセージやブロードキャストデータを送信し、応答メッセージを受信する処理を行う。【００５４】
蓄積部２２４は、制御部２２２からの指示に従って、放送局２４０から送信されるブロードキャストデータを保存する機能と、保存したブロードキャストデータをＩＦ部２２３を介して移動局２００に対して送信する機能と、ブロードキャストデータを削除する機能とを備える。【００５５】
なお、上記制御部２２２の機能は、基地局制御装置２２０を構成するコンピュータに実行させるプログラムにより実現することができる。【００５６】
無線基地局２１０は、無線チャネルを介して、放送局２４０から送信されたブロードキャストデータを移動局２００に対して送信する無線部２１１を備えている。【００５７】
放送局２４０は、無線基地局２１０に対してブロードキャストデータの送信を開始することを通知するとともに送信する時間や周期を指定する配信タイミング情報を送信する機能と、ブロードキャストデータの送信停止や削除を要求する機能とを備える。【００５８】
その他図４の移動局２００やスイッチ２３０やコアネットワーク２５０としては、当業者にとってよく知られた構成を採用することができる。【００５９】
続いて、移動局２００、無線基地局２１０、基地局制御装置２２０、放送局２４０の動作を、図５に示すシーケンスフローを参照して説明する。【００６０】
図５を参照するとまず、放送局２４０が基地局制御装置２２０へセッション開始要求を送信する（ステップｓ２００）。セッション開始要求を受けた基地局制御装置２２０はセッション開始応答を送信する（ステップｓ２０１）。セッション開始応答を受信した放送局２４０は、ブロードキャストデータの送信を開始する（ステップｓ２０２）。【００６１】
上記ステップｓ２００のセッション開始要求のメッセージには、上記した第１の実施形態と同様に、当該ブロードキャストデータの配信タイミング情報が含まれているものとする。【００６２】
基地局制御装置２２０の制御部２２２は、上記ステップｓ２００のセッション開始要求に含まれる配信タイミング情報を保持するとともに、受信したブロードキャストデータを蓄積部２２４に、前記配信タイミング情報と対応付けて保存する（ステップｓ２０３）。【００６３】
基地局制御装置２２０の制御部２２２は、前記保持している配信タイミング情報に従って、無線基地局２１０に対してセッション開始要求を送信する（ステップｓ２０４）。そして、無線基地局２１０がセッション開始応答を送信する（ステップｓ２０５）。【００６４】
無線基地局２１０は、移動局２００に対して放送開始を通知し（ステップｓ２０６）、基地局制御装置２２０は、無線基地局２１０から前記セッション開始応答を受信すると、ブロードキャストデータの送信を開始する（ステップｓ２０７）。【００６５】
その後も、基地局制御装置２２０は、保持している配信タイミング情報に従って、セッション開始要求から放送終了通知までの各処理（ステップｓ２０４〜Ｓ２０９）を繰り返し実施する（図５参照）。【００６６】
そして、放送局２４０が基地局制御装置２２０に対しセッション停止要求を送信する（ステップｓ２１１）。セッション停止要求を受信した基地局制御装置２２０がセッション停止応答を送信する（ステップｓ２１２）。【００６７】
その後、基地局制御装置２２０は、保持していた配信タイミング情報やブロードキャストデータを削除する（ステップｓ２１３）。【００６８】
以上のように、本実施形態によれば、ブロードキャストデータを繰り返し配信する場合であっても、２回目以降のブロードキャストデータの配信は、放送局２４０からブロードキャストデータを送信することなく行われることになるため、放送局２４０の負荷低減、放送局２４０と基地局制御装置２２０間のトラヒック軽減が可能となる。また、本実施形態では、上記した第１の実施形態と比べて、個々の無線基地局にそれぞれ制御部１１２、蓄積部１１４を備えずに済むという利点がある。【００６９】
なお、上記した実施形態では放送局２４０からセッション停止要求を受信した後に基地局制御装置２２０が、ブロードキャストデータを削除するものとして説明したが、ステップｓ２００のセッション開始要求時に送信するメッセージ内に、ブロードキャストデータの配信タイミング情報を加えて、ブロードキャストデータの有効期限を含めることも可能である。この場合、基地局制御装置２２０は、有効期限が切れたブロードキャストデータを蓄積部２２４から削除する動作を行う。【００７０】
以上、本発明の好適な実施形態を説明したが、本発明は、上記した実施形態に限定されるものではなく、本発明の基本的技術的思想を逸脱しない範囲で、更なる変形・置換・調整を加えることができる。【００７１】
例えば、上記した実施形態では、ブロードキャストデータの配信元が放送局であるものとして説明したが、無線基地局又は基地局制御装置が、図２に例示したユーザ端末から、ブロードキャストデータと配信タイミング情報を受け付けるようにすることもできる。このようにすれば、放送事業者でないユーザが、自ら作成したブロードキャストデータを特定の無線基地局のエリアに配信することが可能となる。
なお、前述の特許文献等の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【図１】
2009091042.tif 000003
【図２】
2009091042.tif 000004
【図３】
2009091042.tif 000005
【図４】
2009091042.tif 000006
【図５】
2009091042.tif 000007
【図６】
2009091042.tif 000008
【国際調査報告】
2009091042.tif 000009
2009091042.tif 000010
2009091042.tif 000011
2009091042.tif 000012